(57)【特許請求の範囲】
【請求項１】
一端側の細径部に向って縮径するテーパ部を有する支柱と、この支柱の細径部から挿入されて、テーパ部に保持されるテーパ面を内周に持つストッパとを有し、支柱の細径部に差し込んで組み付けられる他の支柱の差し込み端を、ストッパにて支持可能にすることを特徴とする仮設構造物の組立支柱。
【請求項２】
他の支柱の差し込み端を支持するストッパの支持端面が、支柱に対して他の支柱が芯ずれしているにも拘らず、差し込み端の略全端面を支持する幅を有することを特徴とする請求項１に記載の仮設構造物の組立支柱。
【請求項３】
支柱およびこれに差し込まれる他の支柱が、これらを相互に結合するためのピンの挿入孔を有することを特徴とする請求項１に記載の仮設構造物の組立支柱。
【請求項４】
支柱のテーパ部にストッパのテーパ面が圧入または溶接によって固定されていることを特徴とする請求項１に記載の仮設構造物の組立支柱。
【発明の詳細な説明】
【０００１】
【発明の属する技術分野】
この発明は、建築・土木工事における枠組足場，支保工など仮設構造物の組み立てに用いる仮設構造物の組立支柱に関する。
【０００２】
【従来の技術】
仮設構造物としての枠組足場は、例えば、門型の建枠を前後方向に向けながら任意の間隔をおいて多数横方向に列設し、この建枠間に長手方向に足場板を着脱可能に架設し、さらに横方向に隣接する建枠間にＸ字状にクロスするブレスを介在して建枠どうしを結合するようにして組み付けられている。
【０００３】
また、かかる建枠は、例えば、図５に示すように、支柱１の中間部と上部にそれぞれフランジ６を設け、上部のフランジ６と支柱１の下部外周とに略コ字状のフレーム７の各一端をそれぞれ結合したものからなる。
【０００４】
また、このフレーム７の上記各一のフランジ６に対向する部位には、隣接する他方の支柱などを結合するための金具８が設けられており、支柱１とフレーム７との間を２本の水平材９の各一端がそれぞれ連結されて、建枠全体の強度が得られるようになっている。
【０００５】
さらに、上記構成になる建枠は、工事対象の構造物の高さに応じて複数が連結されて用いられ、このため上記支柱１がその構造物の高さに応じて、例えば２本以上が継ぎ足して組立支柱として用いられ、所定長の下方の支柱の上端に、上方の支柱の下端を差し込むようにして組み付けられる。
【０００６】
図６はかかる従来の仮設構造物における建枠の組立支柱を示す断面図であり、これがパイプ材からなる下方の支柱１と、中央部外周にカシメ止めまたは溶接によってフランジ状のストッパ２ａが一体に取り付けられた連結部材２と、パイプ材からなる、他方の支柱としての上方の支柱３とから構成されている。
【０００７】
なお、この支柱３も図５に示すような建枠の一部として用いられる。上記連結部材２と下方および上方の各支柱１，３の各対応部位には、これらを相互に連結するピン（図示しない）の挿入孔Ｈが設けられている。
【０００８】
この組立支柱では、上記連結部材２の一方を下方の支柱１内に挿入し、この支柱１の上端面にて上記ストッパの下面を支持させ、さらに、このようにして下方の支柱１上に突出する上記連結部材２の他方の外周に対し上方の支柱３を挿し込み、この支柱３の下端面を上記ストッパの上面に衝き当てるようにして支持させることにより、建枠および支柱１，３を上方へ継ぎ足して枠組足場などとして利用することで、高所作業を行うことができる。
【０００９】
図７は従来の他の組立支柱を示す断面図であり、これがパイプ材からなる上記同様の下方の支柱１と、この下方の支柱１の上部に下半部が挿入され、その支柱１に穿設された透孔部１ｂにおいて溶接されたパイプ材からなる連結部材２と、この連結部材２の上半部に下部が挿入される上方の支柱３とからなる。なお、上記連結部材２と上方の支柱３にはこれらを相互に連結するピンの挿入孔Ｈが設けられている。
【００１０】
この組立支柱では、下方の支柱１に対して連結部材２が予め溶接によって一体結合されているため、その下方の支柱１上に突出する上記連結部材２の上半部に対し、上方の支柱３を挿し込むことで、この支柱３の下端面を下方の支柱１の上端面に衝き当てるようにして支持させることができる。この場合にも、建枠および支柱を継ぎ足して、例えば枠組足場などとして利用することで高所作業を行うことができる。
【００１１】
【発明が解決しようとする課題】
しかしながら、かかる従来の仮設構造物の組立支柱のうち、図６に示すものにあっては、下方の支柱１，連結部材２および上方の支柱３の相互間に、これらの一方の他方に対する挿入作業を容易化するための挿入ガタが径方向に設けられているため、これらの支柱１，連結部材２および支柱３の各中心軸が常に一致することなく偏心し、従って、上方の支柱３からの垂直荷重が下方の支柱１の全支持面に対して垂直に加わらず、つまり偏荷重が支柱１に加わり、上記挿入ガタ（隙間）が生じる部位に応力が集中して、この部位で各支柱１，３が変形したり、大きく座屈したりして、建枠さらには支保工などの仮設構造物全体が変形してしまうという課題があった。
【００１２】
また、図７に示すものにあっては、下方の支柱１と連結部材２との間には水平方向のガタが生じないものの、これらが相互に偏心しており、さらにその連結部材２と上方の支柱３との間には挿入ガタが設けられて相互に偏心しているため、この偏心によって下方の支柱１に対し上方の支柱３が、図上で水平方向に最大限オフセットした場合には、図８に示すように、上方の支柱３の支持面となる下方の支柱１の上端面から、上方の支柱の下端面が偏心方向に大きく外れ、この偏心方向に直交する方向の僅かな領域Ｒのみで下方の支柱１の上端面が上方の支柱３の下端面を支持することとなる。従って、各支柱１，３の一部に垂直荷重が集中することとなり、上記のように各支柱１，３の変形や座屈を招く場合があるという課題があった。
【００１３】
この発明は上記課題を解決するものであり、下方の支柱に対して上方の支柱をストッパを介して連結可能にし、上方の支柱からの垂直荷重を偏りなく下方の支柱の全領域で均等に受けられるようにすることで、以て、上方の支柱および下方の支柱の一部への応力の集中を回避し、これらの変形や座屈を未然に防止でき、結果として仮設構造物全体の所期の強度を維持できる仮設構造物の組立支柱を得ることを目的とする。
【００１４】
【課題を解決するための手段】
上記目的を達成するため、請求項１の発明にかかる仮設構造物の組立支柱は、一端側の細径部に向って縮径するテーパ部を有する支柱と、この支柱の細径部から挿入され、テーパ部に保持されるテーパ面を内周に持つストッパとを設けて、支柱の細径部に差し込んで組み付けられる他の支柱の差し込み端を、ストッパにて支持可能にしたものである。
【００１５】
また、請求項２の発明にかかる仮設構造物の組立支柱は、他の支柱の差し込み端を支持するストッパの支持端面を、支柱に対して他の支柱が芯ずれしているにも拘らず、差し込み端の略全端面を支持する幅を有するものとしたものである。
【００１６】
また、請求項３の発明にかかる仮設構造物の組立支柱は、支柱およびこれに差し込まれる他の支柱に、これらを相互に結合するためのピンの挿入孔を設けたものである。
【００１７】
また、請求項４の発明にかかる仮設構造物の組立支柱は、支柱のテーパ部にストッパのテーパ面を圧入または溶接によって固定するようにしたものである。
【００１８】
【発明の実施の形態】
以下に、この発明の実施の一形態を図について説明する。図１はこの発明の組立支柱を示す斜視図であり、同図には、この発明の組立支柱を構成する一方（下方）の支柱４が示されている。この支柱４は、一端側（上端側）が絞り加工されて、細径部４ａに向って徐々に縮径する図２に示すようなテーパ部４ｂを、外周に有する。また、このテーパ部４ｂを介して上記細径部４ａに連続する太径部４ｃが設けられている。
【００１９】
支柱４の細径部４ａおよびこの細径部４ａに挿し込まれる上方の支柱３の対応部位には、ピンの挿入孔としての透孔Ｈが形成されており、これらの各透孔Ｈにピンを挿入することで、各支柱３，４が脱抜しないように連結可能とされる。
【００２０】
さらに、上記細径部４ａおよびテーパ部４ｂには、このテーパ部４ｂに保持可能なテーパ面５ａを内周に持つ、図２に示すようなストッパ５が挿入可能とされている。このストッパ５のテーパ面５ａは支柱４のテーパ面の拡径方向に拡径しており、図３に示すように、ストッパ５をテーパ部４ｂに挿入したとき、テーパ部４ｂにテーパ面５ａの全部または一部が拡径方向（下方向）へ脱抜しないように係止される。
【００２１】
また、上記ストッパ５のテーパ面５ａを支柱４のテーパ部４ｂに確実に係止させるために、図３に示すように、細径部４ａに一部が接しているストッパ５を、さらに矢印Ｐ方向に圧入操作する。こうすることにより、テーパ部４ｂに対してストッパ５のテーパ面５ａが図４に示すように略全面に亘って密着，密嵌され、ストッパ５のこれ以上の拡径方向（矢印Ｐ方向）への移動が規制される。
【００２２】
このため、支柱４に対して、これの外周にストッパ５が同心配置されるように相互に偏心ガタなく一体固着され、つまり支柱４とストッパ５の各中心軸が一致し、この状態が安定維持されて、そのストッパ５の上端面が、細径部４ａ側から挿入される上方の支柱３の下端面を安定的に支持することとなる。
【００２３】
ところで、このようなストッパ５の上端面における上方の支柱３の下端面支持は、細径部４ａに対して挿入される上方の支柱３の内径が大きいと、上方の支柱３と下方の支柱４との間に大きな間隙を生じ、これにより上記のような偏心ガタを招いて上方の支柱の支持が不安定となることが考えられる。このような場合には、その偏心ガタにも拘らず、ストッパ５の上端面を上方の支柱３の下端面全体を確実に受けるような大きさの面積とすればよい。すなわち、上記ストッパ５の少なくとも上端面の肉厚を十分に大きくすればよい。
【００２４】
この結果、上方の支柱３の下端部が一部に応力が集中するなどして変形したり座屈したりするのを回避できる。このように、下方の支柱と上方の支柱３との中心軸のずれをストッパ５により吸収させることで、下方の支柱１に対し上方の支柱３を継ぎ足しても、各支柱１，３は鉛直方向に安定的に起立することとなる。このため、かかる組立支柱を持った建枠さらには仮設構造物全体の変形を確実に防止でき、設計当初の十分な強度を維持できる。
【００２５】
なお、上記においては、各支柱１，３およびストッパ５が円形の断面を有するものについて述べたが、角形の断面を有するものにも適用可能であり、上記同様の作用および効果を実現できる。また、上記支柱４のテーパ部４ｂに対するストッパ５の圧入状態をさらに安定保持するために、必要に応じて、これらをスポット溶接などの溶接やカシメ固定によって、強固に一体結合するようにすることもできる。
【００２６】
このように、この発明による組立支柱にあっては、従来におけるような長尺の連結部材を用い、これをピン保持したり溶接固定したりすることによる加工費用や組立作業上の欠点を改善できるとともに、各支柱の簡単な挿し込み作業のみにて、偏心ガタをストッパにて吸収させながら鉛直方向への継ぎ足しすることができる。
【００２７】
【発明の効果】
以上のように、この発明によれば支柱に一端側の細径部に向って縮径するテーパ部を設け、支柱の細径部から、テーパ部に保持されるテーパ面を内周に持つストッパを挿入し、支柱の細径部に差し込んで組み付けられる他の支柱の差し込み端を、ストッパにて支持可能にするように構成したので、上方の支柱からの垂直荷重を偏りなく下方の支柱の全領域で均等に受けられるようにでき、以て、上方の支柱および下方の支柱の一部への応力の集中を回避でき、これらの変形や座屈を未然に防止でき、結果として仮設構造物全体の所期の強度を維持できるという効果が得られる。
【００２８】
また、他の支柱の差し込み端を支持するストッパの支持端面を、支柱に対して他の支柱が芯ずれしているにも拘らず、差し込み端の略全端面を支持する幅を有するものとしたので、上方の支柱から受ける垂直荷重を均等に分散しながら、下方の支柱の全体で受けるようにすることができ、従って、これらの各支柱への応力の偏りによる変形や座屈をより確実に防止できる。
【００２９】
さらに、支柱およびこれに差し込まれる他の支柱に、これらを相互に結合するためのピンの挿入孔を設けたので、これらのピン孔にピンを通すことで、各支柱間の連結を確実にでき、また、支柱のテーパ部にストッパのテーパ面を圧入または溶接によって固定するようにしたので、ストッパの下方の支柱に対する結着が確実となり、このストッパ上に支持される上方の支柱を安定的に鉛直支持することができるという効果が得られる。
【図面の簡単な説明】
【図１】この発明の実施の一形態による仮設構造物の組立支柱を示す斜視図である。
【図２】この発明における支柱とストッパとの挿入位置の関係を示す断面図である。
【図３】図１における支柱に対するストッパの挿入状態を示す断面図である。
【図４】図１における支柱に対するストッパの圧入状態を示す断面図である。
【図５】従来の仮設構造物の建枠を示す正面図である。
【図６】図５における建枠の組立支柱を示す断面図である。
【図７】従来の他の組立支柱を示す断面図である。
【図８】図７における上方の支柱と下方の支柱との接触面の接合状況を示す説明図である。
【符号の説明】
３  他の支柱
４  支柱
４ａ  細径部
４ｂ  テーパ部
５  ストッパ
５ａ  テーパ面
【図１】
0004000230.tif 000002
【図２】
0004000230.tif 000003
【図３】
0004000230.tif 000004
【図４】
0004000230.tif 000005
【図５】
0004000230.tif 000006
【図６】
0004000230.tif 000007
【図７】
0004000230.tif 000008
【図８】
0004000230.tif 000009